(57)【特許請求の範囲】
【請求項１】
無線通信システムにおいて通信リンクを試験する方法であって、
現在の伝送時間間隔（ＴＴＩ）の間のマルコフ連鎖の現在の状態を決定し、前記マルコフ連鎖が適応マルチレート（ＡＭＲ）音声エンコーダによって生成される音声フレームをモデル化することと、
前記現在の状態は、試験データが送信されなければならないことを示す場合に前記現在のＴＴＩの試験データのデータブロックを生成することと、ここにおいて、前記データブロックは複数のＡＭＲクラスのためのビットを含み、前記複数のＡＭＲクラスのための複数のフレームに前記データブロックを区切り、前記複数のフレームのそれぞれが、それぞれのトランスポートチャネルで送信される、
前記通信リンクのために構成される少なくとも１つのトランスポートチャネルでの伝送のために前記データブロックを処理することと、
を含む、方法。
【請求項２】
前記現在の状態に基づいて前記現在のＴＴＩのレートを決定し、前記レートは完全レート又はヌルレートのどちらかであり、前記データブロックは、前記レートが完全レートの場合には生成され、前記レートがヌルレートの場合には生成されないことをさらに含む、請求項１に記載の方法。
【請求項３】
試験セットアップ中に前記少なくとも１つのトランスポートチャネルを構成することをさらに含む、請求項１に記載の方法。
【請求項４】
前記少なくとも１つのトランスポートチャネルのそれぞれにトランスポートフォーマットを選択し、前記少なくとも１つのトランスポートチャネルのそれぞれのための前記処理が前記トランスポートチャネルのために選択された前記トランスポートフォーマットによって決定されることをさらに含む、請求項１に記載の方法。
【請求項５】
サイレンスディスクリプタ（ｓｉｌｅｎｃｅ  ｄｅｓｃｒｉｐｔｏｒ）（ＳＩＤ）フレームが所定の持続時間のヌルレート間隔のたびにヌルレートのために送信される、請求項２に記載の方法。
【請求項６】
複数のＳＩＤ型の中から１つのＳＩＤ型を選択し、前記ＳＩＤフレームが前記選択されたＳＩＤ型であることをさらに含む、請求項５に記載の方法。
【請求項７】
複数のＡＭＲモードが試験され、前記複数のＡＭＲモードのそれぞれはそれぞれのデータレートと関連付けられる、請求項１に記載の方法。
【請求項８】
前記現在のＴＴＩのための前記複数のＡＭＲの中から１つのＡＭＲモードを選択し、前記データブロックは前記選択されたＡＭＲモードと関連付けられる前記データレートによって決定されるサイズとなることをさらに含む、請求項７に記載の方法。
【請求項９】
前記データブロックのための前記試験データは、定義されたデータパターン又は擬似乱数生成器からの擬似ランダムデータである、請求項１に記載の方法。
【請求項１０】
複数のＴＴＩ値の中から１つのＴＴＩ値を選択し、前記複数のＴＴＩ値のそれぞれが別の時間分用であり、前記現在のＴＴＩが前記選択されたＴＴＩ値のものであることをさらに含む、請求項１に記載の方法。
【請求項１１】
前記通信リンクはダウンリンク又はアップリンクのどちらかである、請求項１に記載の方法。
【請求項１２】
複数のマルコフモデルの中から１つのマルコフモデルを選択し、前記マルコフ連鎖は前記選択されたマルコフモデル用であることをさらに含む、請求項１に記載の方法。
【請求項１３】
前記マルコフ連鎖は１６の状態を備える、請求項１に記載の方法。
【請求項１４】
音声活動をモデル化する推移確率に基づいて前記１６の状態の中から推移を決定することをさらに含む、請求項１３に記載の方法。
【請求項１５】
前記マルコフ連鎖は２つの状態を備える、請求項１に記載の方法。
【請求項１６】
前記マルコフ連鎖の２つの状態はＯＮ状態とＯＦＦ状態を含み、前記データブロックは、前記マルコフ連鎖の前記現在の状態が前記ＯＮ状態である場合には生成され、前記現在の状態が前記ＯＦＦ状態である場合には生成されない、請求項１５に記載の方法。
【請求項１７】
擬似乱数生成器から擬似乱数を取得することと、
前記擬似乱数と第１の閾値に基づいて前記ＯＮ状態から前記ＯＦＦ状態に推移することと、
前記擬似乱数と第２の閾値に基づいて前記ＯＦＦ状態から前記ＯＮ状態に推移することと、
をさらに含む、請求項１６に記載の方法。
【請求項１８】
試験セットアップ中に前記第１の閾値と第２の閾値を構成することをさらに含む、請求項１７に記載の方法。
【請求項１９】
音声活動をモデル化する推移確率に基づいて前記ＯＮ状態と前記ＯＦＦ状態の間の推移を決定することをさらに含む、請求項１６に記載の方法。
【請求項２０】
試験データ伝送が、ＯＦＦ持続時間の間の試験データ伝送なしが後に続くＯＮ持続時間のための前記少なくとも１つのトランスポートチャネルで発生する、請求項１６に記載の方法。
【請求項２１】
試験セットアップ中に前記ＯＮ持続時間とＯＦＦ持続時間を構成することをさらに含む、請求項２０に記載の方法。
【請求項２２】
ダウンリンクとアップリンクは、前記ダウンリンクのために構成される少なくとも１つのトランスポートチャネルの第１の集合と、前記アップリンクのために構成される少なくとも１つのトランスポートチャネルの第２の集合に基づいて同時に試験される、請求項１に記載の方法。
【請求項２３】
前記ダウンリンクとアップリンクのためのレートは無関係に構成可能である、請求項２２に記載の方法。
【請求項２４】
前記無線通信システムはＣＤＭＡシステムである、請求項１に記載の方法。
【請求項２５】
無線通信システムにおける送信機であって、
現在の伝送時間間隔（ＴＴＩ）のためのマルコフ連鎖の現在の状態を決定するために作動するコントローラであって、前記マルコフ連鎖が適応マルチレート（ＡＭＲ）音声エンコーダによって生成される音声フレームをモデル化するコントローラと、
前記現在の状態が試験データが送信されなければならないことを示す場合に前記現在のＴＴＩのための試験データのデータブロックを生成するために作動する試験データジェネレータと、
試験される通信リンクのために構成される少なくとも１つのトランスポートチャネルでの伝送のための前記データブロックを処理するために作動する送信データプロセッサと、ここにおいて、前記送信データプロセッサはビットの複数のＡＭＲクラスのための複数のフレームに前記データブロックを区切るために作動し、前記複数のフレームのそれぞれが、それぞれのトランスポートチャネルで送信される、
を備える、送信機。
【請求項２６】
前記送信データプロセッサは、前記トランスポートチャネルに選択されたトランスポートフォーマットに基づいて、前記少なくとも１つのトランスポートチャネルのそれぞれに試験データを処理するために作動する、請求項２７に記載の送信機。
【請求項２７】
前記試験データジェネレータは、前記試験データに使用される擬似ランダムデータを生成するために作動する擬似乱数生成器を含む、請求項２５に記載の送信機。
【請求項２８】
請求項２５に記載の前記送信機を備える、基地局。
【請求項２９】
請求項２５に記載の前記送信機を備える、端末。
【請求項３０】
無線通信システムにおける装置であって、
現在の伝送時間間隔（ＴＴＩ）のマルコフ連鎖の現在の状態を決定するための手段であって、前記マルコフ連鎖が適応マルチレート（ＡＭＲ）音声エンコーダによって生成される音声フレームをモデル化する手段と、
前記現在の状態が、試験データが送信されなければならないことを示す場合に前記現在のＴＴＩの試験データのデータブロックを生成するための手段と、
試験される通信リンクのために構成される少なくとも１つのトランスポートチャネルでの伝送のために前記データブロックを処理するための手段と、
を備え、
前記データブロックは複数のＡＭＲクラスのためのビットを含み、
前記複数のＡＭＲクラスのための複数のフレームに前記データブロックを区切り、前記複数のフレームのそれぞれが、それぞれのトランスポートチャネル上で送信されることを含む、装置。
【請求項３１】
無線通信システムにおいて通信リンクを試験する方法であって、
前記通信リンクのために構成される少なくとも１つのトランスポートチャネルから現在の伝送時間間隔（ＴＴＩ）のための試験データの第１のブロックを受信することと、
前記試験のために構成されるパラメータの集合に基づいて前記現在のＴＴＩのための試験データの第２のブロックを生成することと、ここにおいて、前記第１および第２のブロックは複数の適応マルチレート（ＡＭＲ）クラスのためのビットを含み、前記複数のＡＭＲクラスのための複数のフレームに前記第１および第２のブロックを区切り、前記複数のフレームのそれぞれが、それぞれのトランスポートチャネルで送信される、
試験データの前記第２のブロックに試験データの前記第１のブロックを比較することと、
前記比較の結果に基づいて前記少なくとも１つのトランスポートチャネルのための統計を収集することと、
を含む、方法。
【請求項３２】
前記少なくとも１つのトランスポートチャネルのための前記統計がビット誤り率（ＢＥＲ）、フレーム誤り率（ＦＥＲ）、ブロック誤り率（ＢＬＥＲ）又はその組み合わせを含む請求項３１に記載の方法。
【請求項３３】
前記現在のＴＴＩのためのマルコフ連鎖の現在の状態を決定することと、
前記現在の状態に基づいて前記現在のＴＴＩのためのレートを決定し、試験データの前記第２のブロックが前記決定されたレートのために生成されることと、
をさらに含む、請求項３１に記載の方法。
【請求項３４】
無線通信システムにおいて通信リンクを試験するために試験データを生成する方法であって、
擬似乱数生成器に基づいてデータビットのシーケンスを生成することと、
データビットの前記シーケンスに基づいてデータブロックを形成することと、
前記通信リンクのために構成される少なくとも１つのトランスポートチャネルで現在の伝送時間間隔（ＴＴＩ）での伝送のために前記データブロックを区切ることと、
を含み、
前記データブロックは、ビットの複数の適応マルチレート（AMR）クラスのための複数のフレームに区切られ、前記複数のフレームのそれぞれがそれぞれのトランスポートチャネルで送信される、方法。
【請求項３５】
前記生成することは、
前記擬似乱数生成器から擬似乱数を取得することと、
前記擬似乱数に基づいてデータビットの集合を形成することと、
前記擬似乱数生成器を更新することと、
を含む、請求項３４に記載の方法。
【請求項３６】
前記生成することは、
前記取得すること、形成すること、及び更新することを複数の回数繰り返すことと、
データビットの前記シーケンスを生成するために複数の擬似乱数から形成されるデータビットの複数の集合を連結することと、
をさらに含む、請求項３５に記載の方法。
【請求項３７】
前記形成することは、
前記擬似乱数の最上位部分を抽出することと、
データビットの前記集合を形成するために前記抽出された部分でバイトを再配列することと、
を含む、請求項３５に記載の方法。
【請求項３８】
３１ビットの擬似乱数が前記擬似乱数生成器から取得され、２４ビット値が前記擬似乱数の最上位部分から抽出され、前記２４ビット値の前記バイトがリトルエンディアン順で再配列される、請求項３７に記載の方法。
【請求項３９】
新しい試験間隔の開始に対応する各同期フレームの前に前記擬似乱数生成器を再初期化することをさらに備える、請求項３４に記載の方法。
【請求項４０】
各試験間隔が２．５６秒という持続時間を有する、請求項３９に記載の方法。
【請求項４１】
前記同期フレームは、前記少なくとも１つのトランスポートチャネルのための接続フレーム数に部分的に基づいて決定される、請求項３９に記載の方法。
【請求項４２】
前記同期時間は、前記データブロックを受信するように設計される受信機に割り当てられる国際移動電話加入者識別（ＩＭＳＩ）番号に基づいてさらに決定される、請求項４１に記載の方法。
【発明の詳細な説明】
【技術分野】
【０００１】
本発明は概してデータ通信に関し、さらに詳細には構成可能なチャネル及びレートを使用して無線リンクを試験するための技術に関する。
【背景技術】
【０００２】
符号分割多元接続（ＣＤＭＡ）システム、時分割多元接続（ＴＤＭＡ）システム、及び他などの無線通信システムは、音声、パケットデータ等の多様な種類のサービスを提供するために幅広く配備されている。これらのシステムの場合、使用可能なリソースを可能な限り効率的に活用することがきわめて望ましい。通常、これは、無線リンクの条件によってサポートされるのと同程度に短い期間内に同程度に多くのユーザに同程度に多くのデータを送信することを伴う。
【０００３】
前記目標を達成するために、システム内の基地局と端末間の無線リンクが特徴付けられてよい。特徴付けられたリンク条件に基づいて、システムは（１）サービスを提供する端末の特定の集合を選択し、（２）選択された端末ごとに使用可能なリソース（例えば送信電力）の一部を割り当て、（３）割り当てられた送信電力及び特徴付けられたリンク条件によってサポートされると考えられるデータレートでそれぞれの選択された端末に送信することがもっとうまくできるかもしれない。
【０００４】
従来、無線リンクは（例えば、擬似乱数生成器によって生成される）既知のデータパターンを送信し、前記送信されたデータパターンを受信し、伝送エラーを決定するために前記受信されたデータパターンを局所的に生成されるデータパターンと比較し、送信機に結果を報告することにより特徴付けられる。この「ループバック」試験は、通常、所望される試験間隔で多くのフレームについて連続して実行される。その結果、試験結果はその試験間隔での無線リンクの性能を反映するであろう。
【０００５】
多くのより新しい世代の無線通信システムは柔軟な動作を行うことができる。例えば、音声データは、（音声活動の量に応じて）非連続で、及び１つ又は複数の（例えばトランスポート）チャネル上で送信されてよく、レートはフレームごとに変化することが許されてよく、データの処理も（例えばフレームごとに、及び／又はチャネルごとに）変化してよい等。従来のループバック試験技術は、通常、試験パラメータの集合に基づいて１つのチャネルのための無線リンクを特徴付ける。この従来の試験技術はシステムがこの柔軟な方法で動作するときに無線リンクの性能の正確な評価を提供しない可能性がある。
【発明の開示】
【発明が解決しようとする課題】
【０００６】
したがって、当該技術分野には、無線通信システムによってサポートされる多様な柔軟な動作条件下で無線リンクを特徴付けることのできる技術に対する必要性がある。
【課題を解決するための手段】
【０００７】
構成可能なチャネル及びレートを使用して無線リンクを試験するための技術がここに示される。ある態様では、ダウンリンク及び／又はアップリンクの「トランスポート」チャネルの性能を試験する、及び／又は検証するために呼び出されてよいＷ−マルコフ試験サービスが提供される。各リンクを試験するために１つ又は複数のトランスポートチャネルが使用されてよい。各トランスポートチャネルは、トランスポートチャネルに使用するための符号化、レートマッチング、伝送時間間隔（ＴＴＩ）等を指定してよい独自のパラメータの集合で構成されてよい。これによって、トランスポートチャネルの独立した試験が可能になり、さらにダウンリンクとアップリンクの独立した試験が可能になる。
【０００８】
一実施形態では、Ｗ−マルコフ試験サービスは定義されたデータシーケンス（例えば選択可能なバイトパターン）又は擬似乱数生成器に基づいて試験データの生成をサポートする。試験は特定の（定義された又は擬似ランダムの）活動モデルに基づいて実行されてよい。音声呼試験の場合、一次マルコフモデルが、音声活動をモデル化し、各ＴＴＩに使用するためのレートを選択するために使用されてよい。適応マルチレート（ＡＭＲ）の場合、試験は（後述される）構成可能なＡＭＲレート及びサイレンスディスクリプタ（ｓｉｌｅｎｃｅ  ｄｅｓｃｒｉｐｔｏｒ）（ＳＩＤ）型に基づいて実行されてよい。
【０００９】
試験データ生成プロセスは送信機と受信機の間で同期している。これにより、受信機は送信された試験データを再生し、前記受信された試験データに、局所的に生成された試験データを比較できる。受信機のＷ−マルコフ試験エンティティはトランスポートチャネルで送信されるデータブロックの数、及び受信されたデータブロックと局所的に生成されたデータブロックの比較の結果をカウントする。ビットエラー、フレームエラー、ブロックエラー及び他の統計がこれらのカウントから引き出されてよい。
【００１０】
本発明の多様な態様及び実施形態はさらに詳細に後述される。本発明は、さらに本発明の多様な態様、実施形態及び特徴を以下に詳細に説明されるように実現する方法、プログラムコード、デジタルシグナルプロセッサ、受信機装置、送信機装置、端末、基地局、システム、及び他の装置と要素を提供する。
【００１１】
本発明の特徴、性質及び利点は、類似する参照文字が相応して、全体で特定する図面と関連して解釈されるときに後述される詳細な説明からさらに明らかになるであろう。
【発明を実施するための最良の形態】
【００１２】
図１は、多くのユーザをサポートするスペクトル拡散通信システム１００を示す。システム１００は多くの端末１０６と通信する多くの基地局１０４を含む。基地局は前記端末と通信するために使用される固定局であり、ＵＭＴＳ無線アクセスネットワーク（ＵＴＲＡＮ）の一部であってよい。基地局はノードＢ、基地トランシーバシステム（ＢＴＳ）、アクセスポイント又はなんらかの他の専門用語と呼ばれてもよい。
【００１３】
多様な端末１０６はシステムを通して分散されてよい。端末はユーザ装置（ＵＥ）、移動局、遠隔局、アクセス端末、又は他のなんらかの専門用語と呼ばれてもよい。各端末１０６は、いつなんどきでもダウンリンク（フォワードリンク）及び／又はアップリンク（リバースリンク）上の１つ又は複数の基地局１０４と通信してよい。これは、端末がアクティブであるかどうか、ソフトハンドオーバがサポートされているかどうか、及び端末がソフトハンドオーバしているかどうかに依存する。ダウンリンクは、基地局から端末への通信リンクを指し、アップリンクは端末から基地局への通信リンクを指す。図１に図示される例では、基地局１０４ａは端末１０６ａから１０６ｄと通信し、基地局１０４ｂは端末１０６ｄから１０６ｆと通信する。端末１０６ｄは重複するカバレージエリアに位置し、基地局１０４ａと１０４ｂと通信する、あるいは基地局１０４ａと１０４ｂからの伝送を受信する。
【００１４】
無線網コントローラ（ＲＮＣ）１０２は基地局１０４に結合し、公衆電話交換網（ＰＳＴＮ）、パケットデータノード（ＰＤＮ）等の他のシステムにさらに結合してよい。ＲＮＣ１０２はそれに結合される基地局に調整及び制御を与える。基地局を介して、ＲＮＳ１０２は（１）端末の間で、及び（２）端末とＰＳＴＮ（例えば従来の電話）とＰＤＮに結合される他のユーザの間での呼の経路選択を制御する。ＲＮＣ１０２は、基地局コントローラ（ＢＳＣ）、移動交換局（ＭＳＣ）、システムコントローラ、又は他のなんらかの用語と呼ばれてもよい。
【００１５】
システム１００は、Ｗ−ＣＤＭＡ、ＩＳ−９５、ＩＳ−２０００、ＩＳ−８５６等の１つ又は複数のＣＤＭＡ規格をサポートするように設計されてよい。これらのＣＤＭＡ規格は当該技術分野で周知である。各規格は異なる専門用語を使用し、異なるチャネル構造及び信号処理をサポートする。明確にするために、以下の説明はＷ−ＣＤＭＡシステムについてのものである。Ｗ−ＣＤＭＡ専門用語を使用すると、基地局及び端末はそれぞれノードＢとＵＥと呼ばれている。
【００１６】
図２Ａは、ノードＢ１０４の実施形態のブロック図である。ダウンリンクでは、（ここでは集合的に「トラヒックデータ」と呼ばれる）送信（ＴＸ）データソース２１０からの音声及びパケットデータ及び試験データジェネレータ２４０からの試験データが（通常ブロック単位で）マルチプレクサ（ＭＵＸ）２１４に提供される。マルチプレクサ２１４は、通常モードでの動作時にＴＸデータプロセッサ２１６にトラヒックデータを提供し、試験モードでの動作中に試験データを提供する。ＴＸデータプロセッサ２１６は、変調器（ＭＯＤ）２１８によってさらに処理される（例えば、拡散され、スクランブルをかけられる）受信データを処理する（例えば、フォーマットする、符号化する、及びインタリーブする）。変調されたデータは次に送信機装置（ＴＭＴＲ）２２２に提供され、ダウンリンク信号を発生するために調整される（例えば、１つ又は複数のアナログ信号に変換される、増幅される、濾波される、及び周波数アップコンバートされる）。ダウンリンク信号はデュプレクサ（Ｄ）２２４を通して送られ、アンテナ２２６を介してＵＥに送信される。
【００１７】
図２ＢはＵＥ１０６の実施形態のブロック図である。ダウンリンク信号はアンテナ２５２によって受信され、デュプレクサ２５４を通して送られ、受信機装置（ＲＣＶＲ）２５６に提供される。受信機装置２５６は受信信号を調整し（例えば、濾波し、増幅し、周波数ダウンコンバートし）、サンプルを提供するためにさらに調整された信号をディジタル化する。復調器（ＤＥＭＯＤ）２５８は回復された記号を提供するためにサンプルを受信し、処理する（例えば、スクランブルを解き、逆拡散し、データ復調する（ｄａｔａ  ｄｅｍｏｄｕｌａｔｅｓ））。復調器２５８は、受信信号の中の複数の信号インスタンスを処理できるレーキ受信機を実現してよい。受信（ＲＸ）データプロセッサ２６０は、次に回復された記号をデインタリーブし、復号し、各受信ブロックをチェックし、復号されたデータをデマルチプレクサ（ＤＥＭＵＸ）２６２に提供する。デマルチプレクサ２６２は復号されたトラヒックデータをＲＸデータシンク２６４に、復号された試験データをコントローラ２７０に提供する。復調器２５８及びＲＸデータプロセッサ２６０は、複数のトランスポートチャネルで受信されるデータを処理するために操作されてよい。
【００１８】
アップリンクでは、マルチプレクサ２８４はコントローラ２７０からダウンリンクトランスポートチャネル試験の結果を、（アップリンクを試験するための）試験データジェネレータ２８０から試験データを、及びＴＸデータソース２８２からトラヒックデータを受信する。ＵＥ１０６の現在のオペレーティングモードに応じて、マルチプレクサ２８４はＴＸデータプロセッサ２８６にデータ結果及び／又は試験結果の適切な組み合わせを提供する。データ及び／又は試験結果は、次に、アップリンク信号を発生するために、ＴＸデータプロセッサ２８６によって処理され（例えば、フォーマットされ、符号化され、及びインタリーブされ）、変調器２８８によってさらに処理され（例えば、拡散され、スクランブルをかけられ）、送信機装置２９０によって調整される。アップリンク信号はデュプレクサ２５４を通して送られ、アンテナ２５２を介して１つ又は複数のノードＢに送信される。
【００１９】
図２Ａを参照し直すと、アップリンク信号は、サンプルを提供するためにアンテナ２２６によって受信され、デュプレクサ２２４を通して送られ、受信機装置２２８によって調整され、ディジタル化される。サンプルは、送信済みのデータ結果と試験結果を回復するために復調器２３２とＲＸデータプロセッサ２３４によってさらに処理される。次にデマルチプレクサ２３６は、評価のためにＲＸデータシンク２３８にアップリンクトラヒックデータを、コントローラ２２０にアップリンク試験データとダウンリンク試験結果を提供する。
【００２０】
コントローラ２２０と２７０は、ダウンリンクトランスポートチャネルとアップリンクトランスポートチャネルの試験に関連する多様な機能を実行してよく、それぞれノードＢとＵＥ内の多様な処理装置の動作を命令してもよい。例えば、コントローラ２２０と２７０は試験データの生成及び受信された試験データの処理を命令してよい。メモリ２４２と２７２はそれぞれノードＢとＵＥ内の多様な処理装置によって使用されるデータとプログラムコードを記憶してよい。
【００２１】
使用可能なシステムリソースの効率的な活用のために、基地局と端末の間の無線リンクが特徴付けられてよい。リンク特徴付け情報は、次に端末のためにデータ伝送を予定し、データレートを決定し、送信電力を割り当て等するために使用されてよい。
【００２２】
ここに、構成可能なチャネルとレートを使用して無線リンクを試験するための技術が提供される。ダウンリンクチャネルを試験するために、試験データジェネレータ２４０によってノードＢで試験データが生成され、処理され、ノードＢからＵＥに送信される。ＵＥでは、送信されたダウンリンク試験データが受信され、補足的に処理され、コントローラ２７０に提供される。コントローラ２７０は、データジェネレータ２８０に、受信された試験データに比較される試験データを局所的に生成するようにさらに命令する。多様なタイプの試験は、ダウンリンクトランスポートチャネルを試験するために実行されてよい。多様な性能データと統計データは受信試験データと生成された試験データの間の比較の結果に基づいてＵＥで収集されてよい。アップリンクの試験は、ダウンリンクの試験と同様に達成されてよい。
【００２３】
ある態様では、Ｗ−マルコフ試験サービスが通信システムに提供される。前記Ｗ−マルコフ試験サービスは、ＵＥと、ＵＴＲＡＮに常駐し、試験サービスを担当するエンティティであるシステムシミュレータ（ＳＳ）の間でダウンリンクトランスポートチャネル及び／アップリンクトランスポートチャネルの性能を試験する、及び／又は検証するために呼び出されてよい。
【００２４】
明確にするために、前記試験技術及びＷ−マルコフ試験サービスは特にＷ−ＣＤＭＡシステムについて説明される。
【００２５】
（トランスポートチャネル、ＡＭＲモード、及びフレーム構造）
多くのさらに新しい世代のＣＤＭＡシステムは、音声、パケットデータ等の多様な種類のサービスを同時にサポートできる。例えば、Ｗ−ＣＤＭＡでは多様なサービスのためのデータは、１つ又は複数のトランスポートチャネルを使用してダウンリンクとアップリンクで送信されてよい。専用チャネル（ＤＣＨ）は音声及び特定のタイプのデータに割り当てられてよく、ダウンリンク共用チャネル（ＤＳＣＨ）及び／又は高速ダウンリンク共用チャネル（ＨＳ−ＤＳＣＨ）は高速パケットデータに割り当てられてよい。ＤＣＨ、ＤＳＣＨ、及びＨＳ−ＤＳＣＨはＷ−ＣＤＭＡによって定義される異なる種類のトランスポートチャネルである。
【００２６】
Ｗ−ＣＤＭＡの場合、当初、多様なサービスのためのデータは上位層で論理チャネルとして処理される。これらの論理チャネルは次にトランスポート層でトランスポートチャネルにマッピングされる。各トランスポートチャネルで送信されるデータは、そのトランスポートチャネルに選択されるトランスポートフォーマット（ＴＦ）に基づいて処理される。トランスポートフォーマットは、トランスポートフォーマット及びインタリーブが適用する伝送時間間隔（ＴＴＩ）、データの各トランスポートブロックのサイズ、各ＴＴＩ内のトランスポートブロック数、ＴＴＩのために使用する符号化方式、レートマッチングパラメータ等の多様な処理パラメータを定義する。ＴＴＩは１０ｍｓｅｃ、２０ｍｓｅｃ、４０ｍｓｅｃ、又は８０ｍｓｅｃとして指定されてよい。各ＴＴＩはＮＢ個の等しい大きさのトランスポートブロックを含むトランスポートブロック集合を送信するために使用されてよく、ここではＮＢとトランスポートブロックサイズはＴＴＩのためのトランスポートフォーマットによって指定される。トランスポートチャネルごとに、トランスポートフォーマットはＴＴＩからＴＴＩへ動的に変化することができる。既定のトランスポートチャネルに使用されてよい一連のトランスポートフォーマットがトランスポートフォーマットセット（ＴＦＳ）と呼ばれ、セットの中の単一のトランスポートフォーマットがＴＴＩごとのトランスポートチャネルに使用するために選択される。さまざまなトランスポートチャネルはさまざまなトランスポートフォーマットセットと関連付けられてよい。
【００２７】
各トランスポートチャネルのデータは、そのトランスポートチャネルのために現在のＴＴＩで使用されるトランスポートフォーマットに従って処理される（例えば、符号化され、インタリーブされ、レートマッチングされる）。ＴＴＩが１０ｍｓｅｃより長い場合には、ＴＴＩ内のビットは複数のトランスポートチャネルフレームにセグメント化される。各トランスポートチャネルフレームは（１０ｍｓｅｃ）物理チャネル無線フレーム（または単に無線フレーム）で送信されなければならないＴＴＩの一部に相当する。各トランスポートチャネルのトランスポートチャネルフレームはさらに処理され（例えばインタリーブされ）、そのトランスポートチャネルのために割り当てられる１つ又は複数の物理チャネルにマッピングされる。
【００２８】
Ｗ−ＣＤＭＡは適応マルチレート（ＡＭＲ）音声符号化方式を活用し、それにより音声データは多くの考えられるレートの内の１つに基づいて符号化されてよい。符号化された音声データは、クラスＡ、クラスＢ、及びクラスＣと呼ばれる３つのクラスに分類される。クラスＡビットは最も重要なビットであり、クラスＢビットは次に最も重要であり、クラスＣは最も重要ではない。重要性の差のため、各クラスのビットは異なる処理パラメータで別のトランスポートチャネルで送信されてよい。これらのパラメータは誤り訂正と検出符号化、レートマッチング等を指定してよく、関連付けられたクラスの重要性のレベルに釣り合うように選択されてよい。例えば、クラスＡビットには畳込み符号化及び巡回冗長検査（ＣＲＣ）が使用されてよく、クラスＢビットにはＣＲＣはないが畳込み符号化が使用されてよく、クラスＣビットには畳込み符号化又はＣＲＣは使用されてはならない。
【００２９】
クラスＡ、クラスＢ及びクラスＣのビットは、次に３つのトランスポートチャネル（つまり３つのＤＣＨ）にマッピングされる３つの論理チャネルとして処理されてよい。関連付けられた制御データは、第４のトランスポートチャネル（つまり別のＤＣＨ）にマッピングされる別の論理チャネルである専用制御チャネル（ＤＣＣＨ）で伝搬されてよい。トランスポートチャネルを搬送する試験データのためのＴＴＩはトランスポートチャネルを搬送する制御データのためのＴＴＩと同じであってよい、あるいは異なってよい。次に、それぞれの（最長の）ＴＴＩのための４つすべてのトランスポートチャネルのデータは単一の符号化された複合トランスポートチャネル（ＣＣＴｒＣＨ）に多重化される。ＣＣＴｒＣＨの中のビットはさらに処理され（例えばインタリーブされ）、データ伝送に使用される１つ又は複数の物理チャネルの間でセグメント化される。トランスポートチャネル処理及び多重化は、公に入手可能であり参照することにより本書に組み込まれる文書３ＧＰＰ  ＴＳ  ３４．１０８  Ｖ４．２．１にさらに詳しく説明されている。３ＧＰＰ  ＴＳ  ３４−１０８に一覧表示される無線パラメータセットは、多様なＡＭＲモードのためのトランスポートチャネルに使用されてよい。
【００３０】
表１は、Ｗ−ＣＤＭＡによってサポートされているＡＭＲモード、及びそれらの関連データレートとブロックサイズを一覧表示する。また、表１は、多様なＡＭＲモードのための３つのクラスのそれぞれのビットの数を一覧表示する。
【表１】
0004532473.tif 000002
【００３１】
表１に示されるように、ＡＭＲモード０から７は４．７５ｋｂｐｓから１２．２ｋｂｐｓの範囲の８つの異なるＡＭＲ音声データレートに相当する。ＡＭＲモード８から１１は、さまざまな種類のサイレンスディスクリプタ（ＳＩＤ）を送信するために使用される。ＳＩＳＤフレームは符号化された背景雑音を含み、沈黙期間中１６０ｍｓｅｃごとに送信される。ＡＭＲモード１２から１４は将来の使用のために確保され、ＡＭＲモード１５は沈黙期間中データ伝送がないことを表している。２０−ｍｓｅｃのＡＭＲフレーム内のビットの総数はそれぞれＡＭＲモード０から７で９５個から２４４個の範囲となる。
【００３２】
試験中、ダウンリンクタイムラインとアップリンクタイムラインは、（「セグメント」とも呼ばれる）それぞれ独立した「試験間隔」に細分される。実施形態では、各試験間隔は２．５６秒に及び、多くの試験フレームをカバーする。各試験フレームは１つのトランスポートチャネルのための試験データを含み、１０ｍｓｅｃ、２０ｍｓｅｃ、４０ｍｓｅｃ又は８０ｍｓｅｃとして構成されてよい１ＴＴＩに及ぶ。試験間隔は、各試験フレームが２０ｍｓｅｃというＴＴＩと関連付けられる場合には１２８個の試験フレームをカバーするであろう。試験間隔は、なんらかの他の時間分、又はある特定数の試験フレームに及ぶように定義されてもよい。
【００３３】
送信機及び受信機は、トランスポートチャネルの試験を可能にするために時間内に同期される必要がある。Ｗ−ＣＤＭＡシステムは非同期方法で操作されてよいため、システム内にノードＢに共通のシステム時間はない。一実施形態では、送信機と受信機はＷ−ＣＤＭＡによって定義される接続フレーム数（ＣＦＮ）に基づいて同期される。ＣＦＮはＵＴＲＡＮとＵＥの間のトランスポートチャネルの同期に使用されるフレームカウンタである。トランスポートチャネルタイプ（例えば、ＤＣＨのための１つのＣＦＮ）ごとに１つのＣＦＮが維持される。（ページングチャネルを除く）各トランスポートチャネルタイプのＣＦＮは０から２５５の範囲となり、各（１０ｍｓｅｃ）無線フレームごとに１だけインクリメントされる。ＣＦＮは１ＴＴＩ内で送信されるトランスポートブロック集合ごとに無線で送信されない。代わりに、ＣＦＮはトランスポートブロック集合を送信するために使用される第１の無線フレームのシステムフレーム番号にマッピングされる（つまり、ＣＦＮはＳＦＮの８個の最下位ビットである）。ＳＦＮは放送チャネル（ＢＣＨ）で放送される。
【００３４】
各時間間隔の第１の試験フレームが同期フレームと呼ばれる。一実施形態では、各リンクの同期フレームは、（１）一意にＵＥを特定する３２ビットの国際移動電話加入者識別番号（ＩＭＳＩ）、及び（２）そのリンクについて試験されているトランスポートチャネル（たとえばＤＣＨ）のＣＦＮに基づいて決定される。同期フレームは他のなんらかの識別子及び／又は他のなんらかの情報に基づいて決定されてもよく、これは本発明の範囲内である。
【００３５】
一実施形態では、ダウンリンク同期フレームは、ＣＦＮの最下位の９個のビットがＩＭＳＩのビット単位の排他的論理和の最下位の９個のビット、及び１６進値０ｘ５５５５５５５５（表記「０ｘ．．．」は１６進値を示す）に等しいフレームとして定義されてよい。同様に、アップリンク同期フレームは、ＣＦＮの最下位の９個のビットがＩＭＳＩのビット単位の排他的論理和の最下位の９個のビット、及び１６進値０ｘ２ＡＡＡＡＡＡＡに等しいフレームとして定義されてよい。０ｘ２ＡＡＡＡＡＡＡの排他的論理和は、ＩＭＳＩの偶数番号のビットをトグルし、０ｘ５５５５５５５５の排他的論理和はＩＭＳＩの奇数番号のビットをトグルする。排他的論理和演算は時間内に多様なＵＥの同期フレームを交互にし、ノードＢでのピーク負荷を削減してよい。ダウンリンクとアップリンクはこのようにして（時間的に）異なる同期フレームと関連付けられる。
【００３６】
さらに詳しく後述されるように、リンクごとの同期フレームはそのリンクと関連付けられる擬似乱数生成器を初期化するために使用される。試験サービス初期化及び制御の動作も各同期フレームの開始前に実施される。
【００３７】
（試験データ生成）
特定の通信リンク（例えば、ダウンリンク又はアップリンク）を試験するためには、１つ又は複数のトランスポートチャネルが使用されてよい。例えば、４つのトランスポートチャネルはビットの３つのＡＭＲクラスと制御データに使用されてよい。各トランスポートチャネルは（例えば、符号化、レートマッチング、ＴＴＩ等のための）パラメータの集合で自主的に構成されてよい。各トランスポートチャネルのＴＴＩは、１０ｍｓｅｃ、２０ｍｓｅｃ、４０ｍｓｅｃ又は８０ｍｓｅｃとして選択されてよい。トランスポートチャネルが異なるＴＴＩと関連付けられる場合には、試験データ生成はすべての構成されたトランスポートチャネルにとって最長のＴＴＩに基づいている。
【００３８】
データブロックがＴＴＩごとに生成され、すべてのトランスポートチャネルのための１つのＴＴＩで必要とされるすべての試験データを含むであろう。データブロックは、トランスポートチャネルごとに１つの試験フレームで、１つ又は複数の試験フレームに区切られてよい。各試験フレームは１つのトランスポートチャネルのためのデータを含み、１ＴＴＩに及ぶ。さまざまなトランスポートチャネルのための試験フレームは異なるサイズを有してよい。
【００３９】
無線リンクを試験するためには多様な種類の試験データが使用されてよい。これらの試験データ型は定義されたデータシーケンス、擬似ランダムデータ等を含んでよい。試験データ型は構成可能であってよく、試験セットアップ中に選択されてよい。
【００４０】
１つの試験構成では、１つ又は複数の定義されたデータシーケンスがトランスポートチャネルを試験するために使用される。これらのデータシーケンスを生成するために、多様な方式が使用されてよい。１つの方式では、データブロックを充填するために単一バイトパターンが使用される。このバイトパターンはすべて１のパターン（「１１１１１１１１」）、又はなんらかの他のユーザによって定義されたバイトパターンであってよい。データブロックが８ビットバイトの全数（例えば１７１ビット）より多くを含む場合、各８ビットバイト全体はバイトパターンで充填され、残りのビットはゼロ（「０」）で充填されてよい。定義されたデータシーケンスを使用することで、送信機と受信機での試験データ生成を簡略化してよい。
【００４１】
別の試験構成では、擬似ランダムデータが無線リンクを試験するために使用される。このデータは、さらに詳しく後述されるように１台又は複数台の擬似乱数（ＰＲＮ）ジェネレータを使用して生成されてよい。
【００４２】
図３は、通信リンク（例えばダウンリンク又はアップリンク）のための１つ又は複数のトランスポートチャネルを試験するためのプロセス３００の実施形態の流れ図である。
【００４３】
ＵＥとＳＳによって試験データを生成するために使用される擬似乱数生成器との間での同期を確実にするために、これらのジェネレータは各試験間隔の開始時に再初期化される。このようにして、擬似乱数生成器を同期させるときであるかどうかが決定される（ステップ３１２）。回答がイエスである場合には、擬似乱数生成器は再初期化される（ステップ３１４）。
【００４４】
ダウンリンクとアップリンクのトランスポートチャネルは音声通信をシミュレーションするための方法で試験されてよい。一次マルコフモデルは前述されたように音声活動をモデル化するために使用されてよい。この場合、マルコフモデルの状態はＴＴＩごとに更新される（ステップ３１６）。現在のＴＴＩに使用するためのレート（例えば、フルレート又はヌルレート）は、次にマルコフモデルの現在の状態に基づいて決定される（ステップ３１８）。次に、試験データがレートに基づいて現在のＴＴＩのために送信されるべきであるかどうかの決定がなされる（ステップ３２０）。試験データが送信されなければならない場合には、試験データのブロックが生成される（ステップ３２２）。データブロックは、試験中のリンクについて構成される１つ又は複数のトランスポートチャネルでの伝送のためにさらに処理される（ステップ３２４）。これらのステップはさらに詳しく後述される。
【００４５】
図４は、ダウンリンクとアップリンクのトランスポートチャネルのための擬似ランダム試験データを生成するために使用される試験データジェネレータ２４０ａと２８０ａの実施形態を示すブロック図である。実施形態では、２つの独立した擬似乱数生成器がＷ−マルコフ試験サービスに使用され、１台の生成器がダウンリンクトランスポートチャネルに、もう１台がアップリンクトランスポートチャネルに使用される。
【００４６】
図４に図示される実施形態では、ＳＳはそれぞれダウンリンクとアップリンク上のトランスポートチャネルのために擬似ランダムデータを生成するために使用される擬似乱数生成器４４０ａと４４０ｂと関連付けられる。同様に、ＵＥはそれぞれダウンリンクとアップリンクでのトランスポートチャネルのために擬似ランダムデータを生成するために使用される擬似乱数生成器４８０ａと４８０ｂと関連付けられる。擬似乱数生成器４４０ａは、各ダウンリンク同期フレーム前に生成器４８０ａ（その一方）に同期される。同様に擬似乱数生成器４４０ｂは、各アップリンク同期フレームの前にその一方の生成器４８０ｂに同期される。
【００４７】
送信側のための擬似乱数生成器４４０ａと４８０ｂはＴＴＩのために擬似ランダムデータを生成するためだけではなく、各ＴＴＩのレート（例えば、フルレート又はヌルレート）を選択するためにも使用される。受信側のための擬似乱数生成器４４０ｂと４８０ａは、リンクの受信端で試験データ生成をエミュレートするために使用され、試験サービスが、送信済み試験データがエラーなしで受信されたかどうかを検証できるようにする。
【００４８】
試験データバッファ４１２ａと４１２ｂは、それぞれダウンリンク試験データとアップリンク試験データをＳＳに記憶するためにオプションで使用されてよい。同様に、試験データバッファ４８２ａと４８２ｂは、それぞれダウンリンク試験データとアップリンク試験データをＵＥに記憶するためにオプションで使用されてよい。
【００４９】
擬似乱数生成器には多様な設計が使用されてよい。一実施形態では、各擬似乱数生成器が以下の線形合同関係性を示す。
【数１】
0004532473.tif 000003
【００５０】
一実施形態では、ａ＝７５＝１６，８０７であり、ｍ＝２３１−１＝２，１４７，４８３，６４７であり、ｘｉ−１とｘｉは擬似乱数生成器の連続出力であり、３１ビットの整数である。ａとｍには他の値も使用されてよい。
【００５１】
各リンクの擬似乱数生成器は、そのリンクのための各同期フレームの前に初期化される。初期化は以下のとおりに達成されてよい。
【数２】
0004532473.tif 000004
【００５２】
前記擬似符号では、ＰＲＮＧｘは、ダウンリンク又はアップリンクに使用されるものであってよいｘ番目の擬似乱数生成器のコンテンツ（状態）を示す。擬似乱数生成器のためのシードは（フレーム単位の）同期フレームのシステム時間として選択されてよい。例えば、ダウンリンク同期フレームのＳＦＮは、ダウンリンクのための擬似ランダム生成器のためのシードとして使用されてよく、アップリンク同期フレームのＳＦＮはアップリンクの擬似ランダム生成器のためのシードとして使用されてよい。ＴＯＧＧＬＥ（トグル）はシードのビットのいくつかをトグルするために使用される値であり、例えばダウンリンクに使用するための生成器の場合、０ｘ２ＡＡＡＡＡＡＡとして、アップリンクのために使用される生成器として０ｘ５５５５５５５５として選択されてよい。
【００５３】
いったん初期化されると、各擬似乱数生成器は、必須擬似ランダムデータを生成するために各ＴＴＩで必要に応じて何度でも反復されてよい。試験データ生成中、擬似乱数が必要とされるたびに変数ＰＲＮＧｘの現在値が検索され、使用され、変数ＰＲＮＧｘが方程式（１）に示されるように一度更新される（つまり反復される）。ＰＲＮＧｘの現在値はｘｉ−１に相当し、ＰＲＮＧｘの新しい値は方程式（１）でｘｉに相当する。
【００５４】
試験データを生成するために擬似乱数生成器から３１ビット数を使用することは、数が８ビットバイトで整合されていないため、インプリメンテーションという観点からは非効率的である。８ビットバイトで整合されている数でデータブロックを構築する方が容易である。したがって、一実施形態では、より優れたランダム性特性及び使用しやすさのためにＰＲＮＧｘのための各３１ビット数の最上位の２４ビットだけが使用され、最下位７ビットは廃棄される。擬似乱数生成器の各反復はこのようにして２４ビットの擬似無作為数ｙｎ（ｋ）を提供する。
【００５５】
図５は、２４ビットの試験データを生成するための２４ビット擬似乱数ｙｎ（ｋ）の入れ替えを示す図である。２４ビット数の最小ビットは最上位ビットより「より無作為ではなく」、したがって左側に動かされる。一実施形態では、擬似乱数生成器からの２４ビットの擬似乱数は入れ替えられ、「リトルエンディアン」順に記憶される。入れ替えは、入れ替えられた数
【数３】
0004532473.tif 000005
【００５６】
を生成するために２４ビット数ｙｎ（ｋ）の最下位バイトを最上位バイトと交換することによって達成される。
【００５７】
試験中の各リンクのＴＴＩごとにＷ−マルコフ試験サービスは、そのリンクのために構成されたトランスポートチャネル上でそのＴＴＩ内で送信されるデータブロックのための必要とされる数のビットを生成するために必要に応じて何度でも関連擬似乱数生成器を反復する。必要とされる反復数は、必須ビットの数を決定する現在のＴＴＩのレートに依存する。表２は、多様なＡＭＲレート、２０−ｍｓｅｃのデータブロックごとの必要ビット数、及び必要反復数Ｐ（ｎ）を一覧表示する。他のＴＴＩのためのデータブロックには別の数の反復が必要とされることがある。
【表２】
0004532473.tif 000006
【００５８】
１ＴＴＩの間の特定のＡＭＲレートのために試験データのブロックを生成するために、擬似乱数生成器がＰ（ｎ）回反復され、Ｐ（ｎ）個の擬似乱数を生成し、ここではＰ（ｎ）はＡＭＲレートごとに表２に示される。各反復はｋ＝｛１，２，．．．Ｐ（ｎ）｝の場合２４ビット擬似乱数ｙｎ（ｋ）を提供し、ここではｎはｎ番目のＴＴＩを示し、ｋはｎ番目のＴＴＩのｋ番目の反復を示す。一例として、ＡＭＲ１２．２データブロックのために必要とされる２２４個の試験データビットを生成するために、擬似乱数生成器が１１回反復され、２６個の試験データビット（１１・２４＝２６４）を生成する。入れ替え後、ＡＭＲ１２．２データブロックは以下のシーケンスを含むであろう。
【数４】
0004532473.tif 000007
【００５９】
前記に注記されたように、３つのＡＭＲクラスのビットが３つの異なるトランスポートチャネルで送信されてよい。このケースでは、３つのＡＭＲクラスのためのビットは特定の方法でデータブロックから取得されてよい。例えば、クラスＡのビットはデータブロックから最初に取得され、クラスＢのビットは次に取得され、クラスＣのビットは最後に取得されてよい。これにより、３つの異なるトランスポートチャネル及び３つのビットのクラスの独立した試験を可能にする。
【００６０】
ＡＭＲ  ＳＩＤデータブロックのために必要とされる３９個の試験データビットを生成するために、擬似乱数生成器は２回反復され、４８の試験データビットを備えた２個の擬似乱数を生成する。ＡＭＲ  ＳＩＤデータブロックのための３９ビットは、次に最初に入れ替えられた擬似乱数
【数５】
0004532473.tif 000008
【００６１】
の中の２４ビット、及び第２の入れ替えられた擬似乱数
【数６】
0004532473.tif 000009
【００６２】
の中の１５個の最上位ビットから取得される。ＡＭＲ  ＳＩＤデータブロックは、次に以下のシーケンスを含むであろう。
【数７】
0004532473.tif 000010
【００６３】
既定の試験間隔に必要とされる試験データのすべて又は一部を記憶するためには、試験データバッファが使用されてよい。擬似乱数生成器は試験データバッファに記憶されてよい擬似ランダムデータを生成するための回数反復されてよい。それ以後、各ＴＴＩの試験データは必要に応じてバッファから取り出されてよい。
【００６４】
（マルチレート試験）
多くのＣＤＭＡシステムは音声通信のための複数のデータレートをサポートしている。例えば、ＩＳ−９５及びｃｄｍａ２０００では、２０−ｍｓｅｃフレームのための音声データはフレーム中の音声活動量に応じて４つの考えられるレートの内の１つで符号化されてよい。これらの４つのレートは、完全レート、２分の１レート、４分の１レート、及び８分の１レートと呼ばれ、それぞれＩＳ−９５の９．６ｋｂｐｓ、４．８ｋｂｐｓ、２．４ｋｂｐｓ、及び１．２ｋｂｐｓに相当する。レートはフレーム単位で変化してよく、音声活動量に依存している。
【００６５】
Ｗ−ＣＤＭＡの場合、８つの考えられるＡＭＲレートの内の１つが音声通信のためにＵＥに割り当てられてよい。ＩＳ−９５とは異なり、単一のＡＭＲレートは、通常、呼セットアップ時に構成され、それ以後呼の持続時間中（あるいは再構成されない限り）使用される。しかしながら、各２０−ｍｓｅｃフレームの音声データは、フレーム中に音声活動があるかどうかに応じて、完全レート（つまり割り当てられたＡＭＲレート）又はヌルレート（つまりデータなし）のどちらかで符号化されてよい。ＳＩＤフレームは１６０ｍｓｅｃという沈黙期間ごとに送信される（つまり１つのＳＩＤフレームは８個の連続ヌルレートフレームごとに送信される）。
【００６６】
Ｗ−マルコフ試験サービスは、既定の試験中１つ又は複数のＡＭＲレートの試験をサポートするために設計できる。試験するための特殊なＡＭＲレート（複数の場合がある）が試験セットアップ中に構成されてよい。さらに、各ＡＭＲレートの試験持続時間も（例えば、試験間隔の指定された、又は擬似乱数として）構成されてよい。
【００６７】
Ｗ−マルコフ試験サービスは、固定レート試験モードとマルチレート試験モードを含む複数の試験モードをサポートするように設計できる。固定レート試験モードの場合、レートは試験間隔に持続時間中（例えば完全レートで）固定されている。マルチレート試験モードの場合、完全レート又はヌルレートのどちらかがＴＴＩごとに選択され、第１の同期フレームで開始する。Ｗ−マルコフ試験サービス接続の時間から第１の同期フレームまで、試験サービスはすべての「１」のビットから構成されるフルレートデータブロックを生成できる。
【００６８】
マルチレート試験モードの場合、各ＴＴＩのレートは一次マルコフモデルに基づいて選択されてよい。マルコフモデルの多様な設計は音声活動を近似するために定義されてよく、その内の２つが後述される。
【００６９】
第１のマルコフモデルでは１６状態マルコフ連鎖がレガシーマルコフサービスオプション（ＳＯ）と関連付けられる４つのレート（つまり、完全レート、２分の１レート、４分の１レート、及び８分の１レート）のために定義される。このマルコフモデルの場合、音声活動は４つのレガシーレートに基づいてモデル化される。４つのレガシーレートは、後述されるように、ＡＭＲのための試験データの生成のために完全レートとヌルレートにマッピングされる。
【００７０】
１６状態マルコフ連鎖は、前記４つのレガシーレートに基づいた音声活動の広範囲なモデル化から獲得される知識に基づいて定義されてよい。このマルコフ連鎖の状態は、現在のＴＴＩと過去のＴＴＩのレートで定義される。４つのレートを用いると、Ｓ（ｎ）＝０から１５と呼ばれる、１６の考えられる状態がある。表３は、過去のＴＴＩと現在のＴＴＩのための１６の状態及び関連レートを一覧表示する。
【表３】
0004532473.tif 000011
【００７１】
１６状態マルコフ連鎖では、各状態は４つの考えられる状態の内の１つに推移できる。例えば、状態０は、現在のＴＴＩのために選択されたレートに応じて状態０、１、２又は３に推移できるだけであり、状態１は状態４、５、６又は７に推移できるだけである等。一般的には、過去のＴＴＩのための状態Ｓ（ｎ−１）がｋに等しい場合には、現在のＴＴＩのための状態Ｓ（ｎ）は以下の制約を満たす必要がある。
【数８】
0004532473.tif 000012
【００７２】
いったん新しい状態Ｓ（ｎ）が決定されると、現在のＴＴＩのための対応するレガシーレートＲ’（ｎ）が以下のように表すことができる。
【数９】
0004532473.tif 000013
【００７３】
１６状態マルコフ連鎖の１６の状態は、現在のＴＴＩと過去のＴＴＩについて４つの考えられるレガシーレートに基づいて定義される。４つのレガシーレートは、表４に示されるようにＡＭＲの完全レートとヌルレートにマッピングされてよい。
【表４】
0004532473.tif 000014
【００７４】
表４では、Ｒ（ｎ）＝１は選択されたＡＭＲモード（表１のＡＭＲモード０から７の内の１つである）の完全レートに相当する。Ｒ（ｎ）＝０は（ＡＭＲモード１５である）ヌルレートに相当する。ヌルレートの場合、（表１のＡＭＲモード８から１１の１つである）ある特定の型のＳＩＤフレームがヌル期間の１６０ｍｓｅｃごとに送信される。
【００７５】
図６は、１６状態マルコフ連鎖に基づいてＴＴＩごとにレートを選択するためのプロセス６００の実施形態の流れ図である。（同期フレームのためのＴＴＩを含む）各ＴＴＩごとに、過去のＴＴＩのマルコフ連鎖の状態Ｓ（ｎ−１）が当初確かめられる（ステップ６１２）。擬似乱数生成器の現在の状態（つまり擬似乱数生成器からの現在の擬似乱数）は、次に２つの数、２４ビット数ｙｎ（１）と１５ビット数ｚｎを生成するために使用される（ステップ６１４）。数ｙｎ（１）は擬似乱数の２４の最上位ビットを含み、前述されたようにＴＴＩの間のデータブロックの最初の３バイトを生成するために使用される。数ｚｎはｙｎ（１）の１５の最下位ビットを含み、現在のＴＴＩの状態Ｓ（ｎ）を決定するために使用される。
【００７６】
現在のＴＴＩの新しい状態Ｓ（ｎ）を決定するために、状態Ｓ（ｎ−１）についてスケーリングされた累積推移確率｛Ａ１、Ｂ１及びＣ１｝が表３の最後の３列から取得される（ステップ６１６）。例えばＳ（ｎ−１）＝９である場合には、集合は｛Ａ１＝０、Ｂ１＝５４７２、及びＣ１＝１６３８４｝を含むであろう。新しい状態Ｓ（ｎ）は次に過去の状態Ｓ（ｎ−１）、数ｚｎ、及びＳ（ｎ−１）について取得される推移確率｛Ａ１，Ｂ１及びＣ１｝の集合に基づいて決定される（ステップ６１８）。
【００７７】
一実施形態では、新しい状態Ｓ（ｎ）は、次に以下のとおりに擬似符号を使用して決定されてよい。
【数１０】
0004532473.tif 000015
【００７８】
前記例の場合、Ｓ（ｎ−１）＝９であると、過去のＴＴＩのレートは２分の１であり、次の状態は表３に図示されるように、４、５、６又は７である場合がある。新しい状態Ｓ（ｎ）は、ｚｎ＜０の場合４に、ｚｎ＜５４７２の場合５に、５４７２≦ｚｎ＜１６３８４の場合６に、及びｚｎ≧１６３８４の場合に７に等しい。事実上、現在のＴＴＩには、ｚｎ＜Ａ１の場合には８分の１レートが選択され、Ａ１≦ｚｎ＜Ｂ１の場合には４分の１レートが選択され、Ｂ１≦ｚｎ＜Ｃ１の場合には２分の１レートが選択され、ｚｎ≧Ｃ１の場合には完全レートが選択される。
【００７９】
新しい状態Ｓ（ｎ）のためのレガシーレートＲ’（ｎ）が次に決定される（ステップ６２０）。ＡＭＲに試験データを生成するために現在のＴＴＩに使用するためのレートＲ（ｎ）が次にレガシーレートＲ’（ｎ）に基づいて決定される（ステップ６２２）。
【００８０】
表３の中のスケーリングされた累積推移確率｛Ａ１，Ｂ１及びＣ１｝は、１６状態マルコフ連鎖の１６の状態の間の推移を決定する。これらの推移確率は典型的な電話会話の中の音声活動を近似するために選択される。
【００８１】
図６に図示されるように、１６状態マルコフ連鎖を使用すると、１５ビット数ｚｎがＴＴＩごとに生成され、そのＴＴＩの新しい状態Ｓ（ｎ）を決定するために使用される。新しい状態Ｓ（ｎ）に関連付けられたレガシー状態Ｒ’（ｎ）は、次に方程式（２）に基づいて決定される。それから、このレガシーレートＲ’（ｎ）は、表４に基づいて完全レート又はヌルレートのどちらかであるＡＭＲレートＲ（ｎ）にマッピングされる。
【００８２】
１つの１６状態マルコフ連鎖は、ダウンリンクトランスポートチャネルを試験するためにＳＳによって維持されてよく、別の１６状態マルコフ連鎖はアップリンクトランスポートチャネルを試験するためにＵＥによって維持されてよい。各リンクのためのマルコフ連鎖は、そのリンクのための第１の同期フレームの開始時に既知の状態（例えば、Ｓ（ｎ）＝１５）に設定されてよい。
【００８３】
第２のマルコフモデルでは、２状態マルコフ連鎖が２つのレート、つまり完全レートとヌルレートのために定義される。この２状態マルコフ連鎖は、音声活動をモデル化しようと試行できる擬似ランダムＯＮ／ＯＦＦ活動に従った試験を可能にする。ＴＴＩごとに、Ｗ−マルコフ試験サービスが完全レートのためのデータブロック又は伝送なしのためのヌルブロックのどちらかを提供する。
【００８４】
図７は、完全レートのためのＯＮ状態とヌルレートのためのＯＦＦ状態を含む２状態一次マルコフ連鎖の実施形態の図である。ＯＦＦ状態はヌル伝送の１６０ｍｓｅｃごとのＳＩＤフレームの伝送のためのＳＩＤサブステートと関連付けられる。２状態マルコフ連鎖は、ＯＮ状態からＯＦＦ状態へ推移する確率ｐで及びＯＦＦ状態からＯＮ状態へ推移する確率ｑで特徴付けられる。ｐとｑの値はＵＥとＳＳの間で交換されるメッセージの中の２個のパラメータ（例えば、ＯＮ＿ＴＯ＿ＯＦＦ＿ＰＲＯＢとＯＦＦ＿ＴＯ＿ＯＮ＿ＰＲＯＢ）によって指定されてよい。
【００８５】
長期平均音声活動Ｖａは以下のように定義されてよい。
【数１１】
0004532473.tif 000016
【００８６】
平均音声活動Ｖａは各ＯＮ持続時間のＴＴＩの平均数対各ＯＮ／ＯＦＦサイクルのＴＴＩの平均数を指す。平均音声バースト長Ｖｂは以下のように定義されてよい。
【数１２】
0004532473.tif 000017
【００８７】
平均音声バースト長Ｖｂは各ＯＮ持続時間中のＴＴＩの平均数を指す。
【００８８】
なんらかの試験の場合、平均音声活動Ｖａと平均音声バースト長Ｖｂを選択してから、所望されるＶａとＶｂに基づいてｐとｑの対応する値を求めることが望ましい場合がある。方程式（３）と（４）を結合し、配列し直すと、以下が取得される。
【数１３】
0004532473.tif 000018
【００８９】
方程式（５）は、Ｖｂの既定の値の場合、ｑが０から１に変化すると、Ｖａが０からＶｂ（１＋Ｖｂ）に変化することを示す。方程式（６）は、Ｖａの既定の値の場合、ｑが１から０に変化すると、ＶｂがＶａ／（１−Ｖａ）から無限大に変化することを示す。例えば、Ｖｂが２として選択されるときには、Ｖａは２／３より小さくなくてはならず、Ｖｂが２に設定されると平均音声活動Ｖａが２／３より高く設定できないことを示す。別の例としてＶａが７／１０に設定されると、Ｖｂは７／３より大きく設定される。
【００９０】
図８はある特定の通信リンクのための２状態マルコフ連鎖のＯＮ状態とＯＦＦ状態の間で推移するためのプロセス８００の実施形態の流れ図である。一実施形態では、擬似乱数生成器からの２４ビット擬似乱数ｙｎ（１）がある状態から別の状態に推移するかどうかを決定するために使用される。したがって、２４ビットのＯＮ閾値とＯＦＦ閾値は以下のとおりに計算される（ステップ８１２）。
【００９１】
ＯＮ＿ＴＨＲＥＳＨＯＬＤ＝（１６，７７７，２１５・ｑ）を四捨五入する、及び
ＯＦＦ＿ＴＨＲＥＳＨＯＬＤ＝（１６，７７７，２１５・ｐ）を四捨五入する
図７に図示されるように、ＯＮ状態からＯＦＦ状態への推移の確率はｐであり、ＯＦＦ状態からＯＮ状態への推移の確率はｑである。２４ビット擬似乱数に基づいて、Ｗ−マルコフ試験サービスは、この数がＯＦＦ＿ＴＨＲＥＳＨＯＬＤ未満である場合にＯＮ状態からＯＦＦ状態に推移し、この数がＯＮ＿ＴＨＲＥＳＨＯＬＤ未満である場合にＯＦＦ状態からＯＮ状態に推移する。ステップ８１２は、通常、Ｗ−マルコフ試験サービスが初期化された後のリンクのための第１の同期フレームの前に一度実行される。
【００９２】
リンクのための擬似乱数生成器は各同期フレームの開始時に前述されたように初期化される（ステップ８１４）。ボックス８２０の中のステップはそれ以後各ＴＴＩで実行される。各ＴＴＩの開始時に、２状態マルコフ連鎖はＯＮ状態又はＯＦＦ状態のどちらかである。２４ビット擬似乱数ｙｎ（１）は、各ＴＴＩのＯＮ状態とＯＦＦ状態の推移を駆動するために使用されてよく、擬似乱数生成器の３１ビットの現在状態から生成される（ステップ８２２）。次に、リンクのための現在のマルコフ状態がＯＦＦであるかどうかの決定が下される（ステップ８２４）。
【００９３】
現在のマルコフ状態がＯＦＦである場合には、２４ビット数がＯＮ＿ＴＨＲＥＳＨＯＬＤより大きいのか、あるいはＯＮ＿ＴＨＲＥＳＨＯＬＤに等しいのかの判断が下される（ステップ８２６）。回答がイエスの場合、Ｗ−マルコフ試験サービスはＯＦＦ状態のままとなる（ステップ８２８）。それ以外の場合は、Ｗ−マルコフ試験サービスはＯＮ状態に推移する（ステップ８３２）。どちらのケースでも、プロセスは次にステップ８３４に進む。
【００９４】
（ステップ８２４で決定されるように）現在のマルコフ状態がＯＮである場合には、２４ビット数がＯＦＦ＿ＴＨＲＥＳＨＯＬＤより大きいのか、あるいはＯＦＦ＿ＴＨＲＥＳＨＯＬＤに等しいのかの決定が下される（ステップ８３０）。回答がイエスの場合、Ｗ−マルコフ試験サービスはＯＮ状態のままとなる（ステップ８３２）。それ以外の場合、Ｗ−マルコフ試験サービスはＯＦＦ状態に推移する（ステップ８２８）。
【００９５】
ステップ８３４では、生成器の状態を更新するために、方程式（１）に示されるように擬似乱数生成器が一度反復される。
【００９６】
２状態マルコフ連鎖は、試験データを特定の平均活動とバースト長に基づいて擬似ランダム的に提供できるようにする。１つの２状態マルコフ連鎖はダウンリンクトランスポートチャネルを試験するためにＳＳによって維持されてよく、別の２状態マルコフ連鎖はアップリンクトランスポートチャネルを試験するためにＵＥによって維持されてよい。各リンクの２状態マルコフ連鎖は、そのリンクのための第１の同期フレームの開始時に既知の状態（例えばＯＦＦ）に設定されてよい。
【００９７】
図９は決定論的なＯＮ／ＯＦＦ活動に基づいた試験データの生成を描いている。この実施形態の場合、試験データは特定のＯＮ持続時間中に送信され、そのあとに特定のＯＦＦ持続時間中のヌル伝送が続き、その後に別のＯＮ持続時間中の試験データ伝送が続く等である。ＯＮ持続時間とＯＦＦ持続時間はＳＳとＵＥの間で構成可能であり交渉されてよい。ＯＮ／ＯＦＦサイクルは周期的又は非周期的であってよい。ＯＮ／ＯＦＦサイクルは同期フレームの始まりに開始するように指定されてもよい。ＯＮ持続時間とＯＦＦ持続時間は（１）各試験間隔が１つのＯＮ／ＯＦＦサイクルを含み、（２）試験間隔が複数のＯＮ／ＯＦＦサイクルを含み、又は（３）ＯＮ／ＯＦＦサイクルが複数の試験間隔に及ぶように選択されてよい。
【００９８】
一実施形態では、試験データ伝送のためのＯＮ持続時間と伝送なしのためのＯＦＦ持続時間は、ＵＥとＳＳの間で交換されたメッセージの中で２つのパラメータによって指定されてよい。
【００９９】
データを提供し、所望される伝送活動を達成するためには他の方式も使用されてよく、これは本発明の範囲内である。
【０１００】
（Ｗ−マルコフ試験サービスの活性化及び非活性化）
図１０は、ＵＥによる試験呼び出しを開始し、完了するためのプロセスの実施形態を描いている。当初、ＵＥは放送型チャネルで送信されるシステム情報を受信する（ステップ１０１２）。任意の型の呼を起動するために、ＵＥはＲＲＣ接続要求メッセージを介して無線リソース制御（ＲＲＣ）を確立するために要求を送信する（ステップ１０１４）。ＲＲＣ接続は、ＳＳとＵＥの間で、それ以後ＲＲＣ接続セットアップメッセージとＲＲＣ接続セットアップ完了メッセージの交換によって確立されてよい（ステップ１０１６と１０１８）。ステップ１０１２から１０１８はすべての種類の呼について実行される。
【０１０１】
いったん専用チャネルを割り当てられると、ＵＥは試験サービスを開始できる。このケースでは、ＵＥとＳＳが試験サービス制御メッセージの交換を介して試験構成を交渉できる（ステップ１０２０と１０２２）。ＵＥは多様な試験パラメータの値を提案してよい。ＳＳは、これらの提案された値を拒絶する、受け入れる、あるいは修正することができる。ステップ１０２０と１０２２は試験呼のために実行され、この試験サービス構成はさらに詳しく後述される。
【０１０２】
次に無線ベアラ試験モードが無線ベアラセットアップメッセージと無線ベアラセットアップ完了メッセージの交換によって活性化される（ステップ１０２４と１０２６）。この活性化により、交渉された多様なパラメータ（例えば、使用するトランスポートチャネルの数、ＴＴＩ、コーディング、一致マッチング等）は下位層に適用される。要約すると、ＲＲＣメッセージは接続を立ち上げるために交換される。試験サービスは、次に試験モードの詳細を交渉する。無線ベアラは、次に交渉された試験構成に従って構成される。無線ベアラ試験モードの活性化はさらに詳しく後述される。
【０１０３】
それ以後、ＵＥとＳＳでの試験制御（ＴＣ）エンティティは、構成されたパラメータとレートを使用して構成されたトランスポートチャネルの試験を実行する。一実施形態では、ＵＥとＳＳは、第１の同期フレームまですべての１の試験データを交換する（ステップ１０２８）。第１の同期フレームの開始時に、構成された試験セットアップは実施され、（擬似ランダムデータが試験のために使用されなければならない場合）擬似乱数生成器が初期化されてよい（ステップ１０３０）。試験は、エンティティが試験を終了すると決定するまで実行される。試験は、次にＵＥとＳＳの間での試験サービス制御メッセージの交換によって終了される（ステップ１０３２と１０３４）。それから呼は分解されてよく、ＲＲＣ接続はＲＲＣ接続リリースメッセージとＲＲＣ接続リリース完了メッセージの交換によって終えられてよい（ステップ１０３６と１０３８）。
【０１０４】
これらの多様なメッセージは前述された３ＧＰＰ  ＴＳ  ３４−１０８  Ｖ４．２．１文書にさらに詳しく説明されている。ＳＳは、ＵＥとの試験呼を起動することもできる。図１０に図示されるプロセスに類似したプロセスがＳＳによって起動される試験呼に使用されてよい。
【０１０５】
Ｗ−マルコフ関数はＵＥ又はＳＳによって起動されてよい。一実施形態では、いったんＲＲＣ接続が確立されると、どちらかのエンティティ（つまりＳＳ又はＵＥ）が他のエンティティの無線ベアラ試験モードを起動できる。無線ベアラはＵＥとＳＳの間でのユーザデータの転送のために層２によって提供されるサービスである。ＳＳはＵＥを試験モードにするためにＵＥ無線ベアラ活性化プロシジャを使用することができ、ＵＥはＳＳを試験モードにするためにＳＳ無線ベアラ活性化プロシジャを使用することができる。試験モードでは、ＳＳ又はＵＥのどちらかが、呼制御（ＣＣ）又はセッション管理（ＳＭ）を巻き込む必要なくＵＥ／ＳＳ試験ループ関数で終了される無線ベアラをセットアップすることができる。さらに、試験モード中、他のプロトコル（例えば非アクセス層（ＮＡＳ）プロトコルであるが、おそらく試験制御（ＴＣ）プロトコルではない）の制御機構又はＲＲＣ接続をリリースさせることができるＵＥ／ＳＳアプリケーションは、試験と干渉しないようにディスエーブルできる。
【０１０６】
（無線ベアラ試験モード活性化）
（ＳＳ又はＵＥのどちらかの場合がある）エンティティＴＡは試験サービス制御メッセージの交換によってエンティティＴＢで無線ベアラ試験モードを活性化するように他のエンティティＴＢ（ＵＥ又はＳＳである場合がある）に要求する。一実施形態では、無線ベアラ活性化プロセスをタイムアウトするためにタイマが使用される。したがって、エンティティＴＡはタイマを起動する。
【０１０７】
いったんエンティティＴＢがその無線ベアラ試験モードを活性化すると、それは以下を実行するように設計されてよい。
【０１０８】
・エンティティＴＢの無線アクセス機能内にあるエンティティＴＡから任意の要求された無線ベアラセットアップを受け入れる。
【０１０９】
・エンティティＴＢの試験ループ関数内のすべてのユーザプレーン無線ベアラ（複数の場合がある）を終了する、そして
・ＮＡＳプロトコルにおける、あるいはそれ以外の場合ＲＲＣ接続をリリースさせることができるであろうエンティティＴＢ内のあらゆるアプリケーションにおけるあらゆる制御機構をディスエーブルする。
【０１１０】
いったん無線ベアラ試験モードが活性化されると、エンティティＴＢは、それが無線ベアラ試験モードを活性化したことを確認するためにメッセージを送信する。このメッセージを受信すると、エンティティＴＡはタイマを停止する。タイマがこのメッセージを受信する前に期限切れとなると、エンティティＴＡはこれを示し、プロシジャを終了する。
【０１１１】
いったん無線ベアラ試験モードが活性化されると、試験は、どちらかのエンティティ（ＵＥ又はＳＳ）が試験を終了することを決定する前に実行されてよい。このエンティティ（Ｔ１）は、ＲＲＣ接続が確立され、他のエンティティの無線ベアラ試験モードがアクティブである場合には他のエンティティ（Ｔ２）の無線ベアラ試験モードを非活性化できる。エンティティＴ１は、試験サービス制御メッセージを送信することによって無線ベアラ試験モードを非活性化するようにエンティティＴ２に要求する。エンティティＴ１は、次にタイマを起動する。エンティティＴ２がこのメッセージを受信すると、それは無線ベアラ試験モードを非活性化し、通常の動作に戻る。エンティティＴ２は、次に非活性化を確認するために試験サービス制御メッセージを送信する。
【０１１２】
無線ベアラ試験モードがエンティティＴ２で非活性化されたことを確認する試験サービス制御メッセージを受信すると、エンティティＴ１はタイマを停止する。タイマがこのメッセージを受信する前に期限切れになると、エンティティＴ１はこれを示し、プロシジャを終了する。
【０１１３】
（試験サービス構成）
Ｗ−マルコフ試験サービスは、使用可能なサービス構成プロシジャ及び交渉プロシジャを使用して交渉、接続されてよいサービスである。どちらかのエンティティ（つまりＳＳ又はＵＥ）が他のエンティティにメッセージ（例えば、試験サービス制御メッセージ）を送信することによってマルコフ呼び出しのための試験サービス特殊関数を提案又は呼び出すことができる。このメッセージは、受信側エンティティから肯定応答が要求される、又は必要とされるように送信されてよい。
【０１１４】
メッセージを介して、発信側エンティティは試験期間中に使用される多様な試験パラメータのための値を提案してよい。発信側エンティティは、ダウンリンクとアップリンクのための好適パラメータ値を示すこともできてよい。
【０１１５】
受信側エンティティは提案された試験パラメータ設定値を受け入れる、又は拒絶してよい。発信側エンティティの指令の中のすべてのフィールドが受信側エンティティのための許容範囲内にある場合には、受信側エンティティは提案を受け入れる指令を発行してよい。この指令は、多様なフィールドについて発信側エンティティによって提案されるのと同じ値を含む応答メッセージ（例えば試験サービス制御メッセージ）を介して発信側エンティティに送信されてよい。
【０１１６】
代わりに、発信側エンティティが受信側エンティティによってサポートされていない、又は受信側エンティティにとって許容できない特定の試験設定値を提案する場合には、受信側エンティティはオリジナルの提案値に代替値（つまり代案）を含んでよい指令を発行してよい。この指令は、受信側エンティティによってサポートされ、受け入れられる提案値、及び受信側エンティティによってサポートされない、又は受け入れられないフィールドの中の代案値を含む応答メッセージを介して発信側エンティティに送信されてよい。
【０１１７】
このようにして、メッセージングと交渉を介して、受信側エンティティは発信側エンティティの提案を受け入れる、又は提案を拒絶し、試験パラメータの代替値を提供することができる。受信側エンティティから応答メッセージを受信すると、発信側エンティティは代案値を受け入れるか、あるいは代案値に準拠する新しい値を選択してよい。発信側エンティティは、次に受信側エンティティにこれらの新しい値を提案する別のメッセージを送信してよい。交渉プロセスは、試験パラメータ値が両方のエンティティにとって許容できるまで続行するであろう。
【０１１８】
表６は、Ｗ−マルコフ試験サービスを構成するために使用されてよい試験サービス制御メッセージのための多様なフィールドを一覧表示する。試験サービス構成のためにはさまざまなフィールドとフォーマットのある他のメッセージも使用されてよく、これは本発明の範囲内である。
【表５−１】
0004532473.tif 000019
【表５−２】
0004532473.tif 000020
【表５−３】
0004532473.tif 000021
表６は、試験サービス制御メッセージと関連付けられるさまざまなタイプの制御指令を一覧表示する。
【表６】
0004532473.tif 000022
【０１１９】
表７は、ダウンリンクとアップリンクのために構成されてよい多様なレートを一覧表示する。
【表７】
0004532473.tif 000023
【０１２０】
表８は８つの考えられるＡＭＲレートを一覧表示する。各ＡＭＲレートは、そのＡＭＲレートが試験で使用されなければならない場合には「１」に設定されるビットマスクの中のそれぞれのビットと関連付けられる。
【表８】
0004532473.tif 000024
【０１２１】
表９は、試験に使用されてよい多様なタイプのＳＩＤフレームを一覧表示する。
【表９】
0004532473.tif 000025
【０１２２】
ＡＭＲ  ＳＩＤ型
予約済み
表１０は、ＡＭＲモードがそれで変化する周波数を一覧表示する。
【表１０】
0004532473.tif 000026
【０１２３】
表１１は、各ＴＲＡＮＳＰＯＲＴ＿ＣＯＮＦＩＧ＿ＤＡＴＡレコードのフィールドを一覧表示する。１つのレコードは構成されるトランスポートチャネルごとの試験サービス制御メッセージに含まれる。レコードは関連付けられたトランスポートチャネルのために構成されてよい多様なパラメータを含む。
【表１１】
0004532473.tif 000027
【表１２】
0004532473.tif 000028
【０１２４】
チャネル構成
ＴＳ  ３４．１０８に従った構成
指定されたＴＴＩとＲＭ属性を含むＴＳ３４．１０８に従った構成
予約済み
表１３はＡＲＭモードを変更するために多様なオプションを一覧表示する。
【表１３】
0004532473.tif 000029
【０１２５】
表１４は、試験に使用されてよい多様なＳＩＤ型を一覧表示する。
【表１４】
0004532473.tif 000030
【０１２６】
表１５は、トランスポートチャネルに使用されてよい多様なＴＴＩを一覧表示する。
【表１５】
0004532473.tif 000031
【０１２７】
（試験フレーム伝送及び受信）
マルコフ試験サービスは、試験サービスが接続されている間にＴＴＩごとにアップリンクデータ処理とダウンリンクデータ処理を実行する。（ダウンリンクトランスポートチャネルの場合ＳＳあるいはアップリンクトランスポートチャネルの場合ＵＥによる）送信データブロック処理は以下を含む。
【０１２８】
・このブロックが送信されるＣＦＮのためのデータブロックを生成する。
【０１２９】
・送信された試験データ型に対応するカウンタを増分する。
【０１３０】
（アップリンクトランスポートチャネルの場合ＳＳ又はダウンリンクトランスポートチャネルの場合ＵＥによる）受信データブロック処理は以下を含む。
【０１３１】
・このデータブロックが送信されるＣＦＮのためのデータブロックを生成する。
【０１３２】
・無線ベアラからデータブロックと試験データ型を受信する。
【０１３３】
・試験データ型が擬似ランダムデータを示す場合には、データブロックを局所的に生成し、前記生成したデータブロックの内容を受信されたデータブロックの内容と比較し、エラーがあるかどうかを判断する。そして、
・前記試験の結果及び試験データ型に応じて正しいカウンタを増分する。
【０１３４】
多様なカウンタはＷ−マルコフ試験サービスをサポートするためにＳＳとＵＥによって維持されてよい。試験されるリンクごとに、受信機に送信される（多様な試験データ型の）データブロック数を追跡調査するために、カウンタのセットが送信機で維持されてよい。受信機では、カウンタの別のセットが、送信側ソースから受信されるデータブロックとデータビットの数、ビットエラー、フレームエラー、ブロックエラー等の数を追跡調査するために維持されてよい。カウンタ値はそれ以後ビット誤り率（ＢＥＲ）、フレーム誤り率（ＦＥＲ）、及び／又はブロック誤り率（ＢＬＥＲ）、及びおそらく平均伝送活動、平均バースト長等の他の統計を決定するために使用されてよい。ダウンリンク試験結果及び統計情報は、１つ又は複数のメッセージを介してＵＥによってＳＳに報告されてよい。
【０１３５】
前記に注記されたように、多くのトランスポートチャネルはダウンリンクとアップリンクのそれぞれに同時に試験されてよい。各トランスポートチャネルは無関係に構成されてよい。カウンタのセットは試験中の各トランスポートチャネルに維持されてよい。例えば、カウンタの４つのセットは、クラスＡビット、クラスＢビット及びクラスＣビット並びに制御データを送信するために使用される４つのトランスポートチャネルのために維持されてよい。試験結果は、次にトランスポートチャネルごとに別個に取得されてよい。
【０１３６】
明確にするために、Ｗ−ＣＤＭＡについて試験技術が特に説明されてきた。しかしながら、これらの技術は他の無線通信システム及び他のＣＤＭＡシステムに使用されてもよい。
【０１３７】
ここに説明される試験技術は、多様な手段によって実現されてよい。例えば、これらの技術はハードウェア、ソフトウェア、又はその組み合わせで実現されてよい。ハードウェアインプリメンテーションの場合、試験をサポートするために使用される要素（例えば、擬似乱数生成器、試験データジェネレータ、コントローラ、及び他の処理装置）は、１つ又は複数の特定用途向け集積回路（ＡＳＩＣ）、ディジタル信号処理（ＤＳＰ）、ディジタル信号処理装置（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、ここに説明される機能を実行するように設計される他の電子装置、又はその組み合わせの中で実現されてよい。
【０１３８】
ソフトウェアインプリメンテーションの場合、試験技術はここに説明される機能を実行するモジュール（例えば、手順、関数等）で実現されてよい。ソフトウェア符号はメモリ装置（例えば、図２Ａと図２Ｂのメモリ装置２４２と２７２）に記憶され、プロセッサ（例えば、コントローラ２２０と２７０）によって実行されてよい。メモリ装置はプロセッサ内部に、あるいはそのケースでは当該技術分野で既知であるように多様な手段を介してプロセッサに通信で結合できるプロセッサに外付けで実現されてよい。
【０１３９】
見出しは、ここで参考のために、及び特定のセクションの位置を突き止める際に役立てるために含まれる。これらの見出しは以下に説明される概念の範囲を制限することを目的とせず、これらの概念は明細書全体を通して他の項でも適用可能である。
【０１４０】
開示された実施形態の前記の説明は当業者が本発明を製造又は使用できるようにする。これらの実施形態に対する多様な変型は当業者に容易に明らかになり、ここに定義される一般原則は本発明の精神又は範囲を逸脱することなく他の実施形態に適用されてよい。したがって、本発明はここに示されている実施形態に制限されることを目的とするのではなく、ここに開示される原則と新規機能と一貫性のある最も幅広い範囲を与えられることである。
【図面の簡単な説明】
【０１４１】
【図１】多くのユーザをサポートするスペクトル拡散通信システムを示す図である。
【図２Ａ】システム内のノードＢのブロック図である。
【図２Ｂ】システム内のＵＥのブロック図である。
【図３】特定の通信リンクについて少なくとも１つのトランスポートチャネルを試験するためのプロセスを示す図である。
【図４】ダウンリンクトランスポートチャネルとアップリンクトランスポートチャネルのための擬似ランダム試験データを生成するために使用される試験データ生成器を示す図である。
【図５】２４ビットの試験データを生成するための２４ビットの擬似乱数の入れ替えを図解する。
【図６】１６状態マルコフ連鎖に基づいてＴＴＩごとのレートを選択するためのプロセスの流れ図である。
【図７】２状態一次マルコフ連鎖を示す図である。
【図８】２状態マルコフ連鎖のＯＮ状態とＯＦＦ状態の推移のためのプロセスを示す図である。
【図９】決定論的なＯＮ／ＯＦＦ伝送活動に基づいた試験データの生成を示す図である。
【図１０】ＵＥによって試験呼を開始し、完了するためのプロセスを示す図である。
【図１】
0004532473.tif 000032
【図２Ａ】
0004532473.tif 000033
【図２Ｂ】
0004532473.tif 000034
【図３】
0004532473.tif 000035
【図４】
0004532473.tif 000036
【図５】
0004532473.tif 000037
【図６】
0004532473.tif 000038
【図７】
0004532473.tif 000039
【図８】
0004532473.tif 000040
【図９】
0004532473.tif 000041
【図１０】
0004532473.tif 000042